(57)【要約】【課題】セラミックス製の意匠材が建物の角部をなす２つの壁面にわたって設置された外壁構造において、該意匠材が破損し難い外壁構造を提供する。【解決手段】意匠材１０の長手方向における中央部は弧状の湾曲部１２となっている。該湾曲部１２の両端に連なる一端部１１及び他端部１３は、長手方向に直線状に延在している。該意匠材１０の中空部１４に芯材２０が配置されている。この芯材２０は、意匠材１０の第１側面に対面する長板部２１と、該長板部２１の上端から水平方向に延在する耳片部２２とからなる。ボルト６がボルト挿通孔２３、スペーサ８及びレール５のボルト挿通孔に挿通され、ナット７によって締結されている。このようにして、意匠材１０及び芯材２０が建物１に固定されている。【選択図】図１
2007308934.tif 000002
【特許請求の範囲】
【請求項１】
セラミックス製の意匠材が建物の角部をなす２つの壁面にわたって設置された外壁構造において、
該意匠材は一方の壁面から他方の壁面にわたって延在する湾曲部を有することを特徴とする外壁構造。
【請求項２】
請求項１において、前記湾曲部を有する意匠材は一方の壁面側の端部から他方の壁面側の端部にわたって延在する中空部を有し、該中空部に芯材が配置されていることを特徴とする外壁構造。
【請求項３】
請求項２において、該芯材は可撓性を有することを特徴とする外壁構造。
【請求項４】
請求項２又は３において、該一方の壁面及び他方の壁面に取付部材が固定されており、該取付部材に該芯材の両側が取り付けられていることを特徴とする外壁構造。
【請求項５】
請求項２ないし４のいずれか１項において、前記意匠材（第１の意匠材）に隣接して第２の意匠材が設置されており、
該第２の意匠材は、中空部を有すると共に該中空部に芯材が配置されており、
該第１の意匠材の芯材と第２の意匠材の芯材とが連結されていることを特徴とする外壁構造。
【発明の詳細な説明】
【技術分野】
【０００１】
セラミックス製の意匠材が建物の角部をなす２つの壁面にわたって配置された外壁構造に関する。
【背景技術】
【０００２】
従来、建物の角部にタイルやルーバー等のセラミックス製意匠材を施工する場合、該角部をなす２つの壁面のそれぞれに平板状の意匠材を配置し、これら平板の端部同士を該角部において突き合わせることが行われている。しかしながら、このように平板状の意匠材を突き合わせる場合、該突き合わせ部分に隙間が生じることになり、美観に劣る。また、該隙間から雨水等が浸入し、意匠材を壁面に固定している接着剤が劣化する。
【０００３】
上記の問題を解消するものとして、特開２００４−２３８９４０号には、２つの壁面のそれぞれに取付金具を固定し、該取付金具に対して、Ｌ字形の役物建材を固定することが記載されている。
【特許文献１】特開２００４−２３８９４０号
【発明の開示】
【発明が解決しようとする課題】
【０００４】
上記特開２００４−２３８９４０号の外壁構造は、建物が地震等によって変位した場合、Ｌ字形の役物建材の直角部分に剪断応力が集中し、該役物建材が破損し易いという問題がある。
【０００５】
本発明は、セラミックス製の意匠材が建物の角部をなす２つの壁面にわたって設置された外壁構造において、該意匠材が破損し難い外壁構造を提供することを目的とする。
【課題を解決するための手段】
【０００６】
本発明（請求項１）の外壁構造は、セラミックス製の意匠材が建物の角部をなす２つの壁面にわたって設置された外壁構造において、該意匠材は一方の壁面から他方の壁面にわたって延在する湾曲部を有することを特徴とするものである。
【０００７】
請求項２の外壁構造は、請求項１において、前記湾曲部を有する意匠材は一方の壁面側の端部から他方の壁面側の端部にわたって延在する中空部を有し、該中空部に芯材が配置されていることを特徴とするものである。
【０００８】
請求項３の外壁構造は、請求項２において、該芯材は可撓性を有することを特徴とするものである。
【０００９】
請求項４の外壁構造は、請求項２又は３において、該一方の壁面及び他方の壁面に取付部材が固定されており、該取付部材に該芯材の両側が取り付けられていることを特徴とするものである。
【００１０】
請求項５の外壁構造は、請求項２ないし４のいずれか１項において、前記意匠材（第１の意匠材）に隣接して第２の意匠材が設置されており、該第２の意匠材は、中空部を有すると共に該中空部に芯材が配置されており、該第１の意匠材の芯材と第２の意匠材の芯材とが連結されていることを特徴とするものである。
【発明の効果】
【００１１】
本発明（請求項１）の外壁構造は、一方の壁面から他方の壁面にわたって延在する湾曲部を有する意匠材が建物の角部に設置されており、該意匠材はＬ字形の意匠材のような角部を有しない。このため、建物が地震等によって変位したときに該湾曲部の一部に剪断応力が集中することがなく、これにより、該意匠材が破損することが防止される。また、建物の角部に対応する箇所を２つの意匠材の突き合せによって形成する必要がないため、突き合せ部分の位置合わせを行う等の手間が省け、施工性に優れる。
【００１２】
本発明において、該意匠材が中空部を有し、該中空部に芯材が配置されている場合、意匠材の強度が向上する。
【００１３】
本発明において、該芯材が可撓性を有する場合、意匠材の中空部に芯材を容易に挿入することができる。
【００１４】
本発明において、一方の壁面及び他方の壁面に取付部材が固定され、該取付部材に芯材の両側が取り付けられていてもよい。また、該湾曲部を有する意匠材（第１の意匠材）の芯材と第２の意匠材の芯材とが連結されていてもよい。
【発明を実施するための最良の形態】
【００１５】
以下、図面を参照して本発明の実施の形態を説明する。第１図は実施の形態に係る外壁構造の水平断面図、第２図は第１図の意匠材１０の斜視図、第３図は第１図の芯材２０の斜視図、第４図は第１図の外壁構造の正面図である。
【００１６】
第１図の通り、建物１の第１の壁面２及び第２の壁面３のぞれぞれに、Ｔ字形のレール５が上下方向に延設されている。なお、符号４は建物１の角部である。
【００１７】
この建物１が鉄骨式建物である場合、このレール５は鉄骨に取り付けられている。建物１が鉄筋コンクリート建物である場合、このレール５はコンクリート壁に取り付けられている。この建物１が木造軸組みの建物である場合、このレール５は柱に取り付けられている。
【００１８】
以下に説明する通り、これらレール５に対して、セラミックス製の意匠材１０が取り付けられている。
【００１９】
第２図の通り、この意匠材１０は、第１側面１０ａ、上面１０ｂ、第２側面１０ｃ及び下面１０ｄよりなり、長手方向に中空部１４が延在する四角筒形を有している。この意匠材１０の長手方向における中央部は、第１側面１０ａを内径側とし、第２側面１０ｃを外径側とする弧状の湾曲部１２となっている（第１図）。本実施の形態では、この湾曲部１２は、中心角約９０°の範囲にわたって延在する四分円弧状になっている。
【００２０】
該湾曲部１０ａの両端に連なる一端部１１及び他端部１３は、長手方向に直線状に延在している。該一端部１１及び他端部１３の第１側面１０ａに、後述するスペーサ８を挿通するためのスペーサ挿通孔１５が設けられている。
【００２１】
この意匠材１０を製造するには、例えば、成形ダイスの押出口のうち一方の側辺からの押出速度が他方の側辺からの押出速度よりも小さくなるようにして押出成形を行い、該一方の側辺側に湾曲した成形体を製造する。次いで、該成形体の長手方向の両端部近傍を直線状に整える。その後、該成形体を焼成することにより、湾曲部１２を有する意匠材１０が製造される。
【００２２】
該意匠材１０の中空部１４に芯材２０が配置されている。この芯材２０は、意匠材１０の第１側面に対面する長板部２１と、該長板部２１の上端から水平方向に延在する耳片部２２（２２Ａ）と、該長板部２１の下端から水平方向に延在する耳片部２２（２２Ｂ）とからなる。該長板部２１の両端近傍であって前記ボルト挿通孔２３と対応する位置に、厚み方向に貫通するボルト挿通孔２３が設けられている。
【００２３】
この芯材２０の材質としては、樹脂、ゴム等の可撓性を有するものが好ましい。
【００２４】
この芯材２０の長板部２１、耳片部２２Ａ及び耳片部２２Ｂのそれぞれが、意匠材１０の第１側面１０ａ、上面１０ｂ及び下面部１０ｄと対面するようにして、この芯材２０が意匠材１０の中空部１４内に配置されている。この意匠材１０のスペーサ挿通孔１５内にスペーサ８が配置されている。該スペーサ８の外径はスペーサ挿通孔１５の孔径よりも小さく、かつボルト挿通孔２３の孔径よりも大きくなっている。ボルト６がボルト挿通孔２３、スペーサ８及びレール５のボルト挿通孔（図示略）に挿通され、ナット７によって締結されている。このようにして、意匠材１０及び芯材２０が建物１に固定されている。
【００２５】
この意匠材１０の両端に、四角筒形であり、その中空部１４に芯材２０Ａを備えた意匠材１０Ａが配置され、レール５に固定されている。これら芯材２０Ａ及び意匠材１０Ａは直線状であることの他は上記芯材２０及び意匠材１０と同様であり、上記芯材２０及び意匠材１０と同様、ボルト６、ナット７及びスペーサ８を介してレール５に固定されている。
【００２６】
この意匠材１０は中央部が湾曲しているため、建物１の角部４で直角に屈曲するＬ字形の意匠材と比べて重心が建物１の内側に位置することになる。このため、意匠材１０はＬ字形意匠材と比べて、中央部が自重によって垂れ難いものとなる。
【００２７】
この芯材２０が可撓性を有する場合、該芯材２０を意匠材１０内に容易に配置することができる。また、この芯材２０が可撓性を有する場合、曲がり部を有する芯材２０を製造してもよく、直線状の芯材２０を製造し、意匠材１０内に配置する時に曲げるようにしてもよい。
【００２８】
本実施の形態において、芯材２０と意匠材１０とが接着剤によって固定されていてもよい。
【００２９】
上記実施の形態では、第３図に示す芯材２０を用いたが、芯材の形状はこれに限定されるものではない。例えば、第５図の通り、第３図の芯材２０において下側の長側辺に連なる耳片部２２（２２Ｂ）を省略した芯材２０Ｂであってもよい。また、第６図の通り、耳片部２２が該長板部２１の長手方向に間隔をあけて３個以上（第６図では７個）設けられた芯材２０Ｃであってもよい。さらに、第３図の芯材２０は、耳片部２２が略弧状の長板部２１の外径方向を指向し、該長板部２１が意匠材１０の内径面１０ａと対面する形状となっているが、第７図の芯材２０Ｄのように、耳片部２２が略弧状の長板部２１の内径方向を指向し、該長板部２１が意匠材１０の外径面１０ｃと対面する形状としてもよい。
【００３０】
また、レールが意匠材の側部にあるような場合は、第８図のような芯材を用いてもよい。第８図の芯材２０Ｅは、その長手方向の両端に、先端側が閉止された四角筒形の耳片部２２Ｃが連なっている。該耳片部２２Ｃの一側面が該長板部２１に連なっている。該耳片部の先端側の閉止面に雌ねじ孔２２Ｄが設けられている。第９図は第８図の芯材２０Ｅを用いた意匠材を建物の外壁に設置した状態を示す水平断面図である。該芯材２０Ｅの耳片部２２Ｃの閉止面をレール材５Ａに当接し、六角ボルト６Ａにワッシャ７を通し、さらに該六角ボルト６Ａをレール５Ａの挿通孔（図示略）を通して該雌ねじ孔２２Ｄにねじ込むことにより、該芯材２０Ｅがレール材５Ａに固定される。
【００３１】
上記の実施の形態では第１の意匠材自体が壁面に固定されているが、第２の意匠材が壁面に固定され、この第２の意匠材に第１の意匠材が固定されていてもよい。第１の意匠材の芯材に第２の意匠材の芯材を固定した場合、芯材同士を繋ぐため、意匠材の継ぎ目にずれが生じ難い。
【００３２】
本実施の形態では意匠材１０はレール５に固定されているが、これと共に又はこれに代えて、芯材２０と芯材２０Ａとが連結されていてもよい。
【００３３】
また、第１図では意匠材の中心角は９０°になっているが、これに限られるものではない。建物の隣接する壁面同士のなす角度や意匠性を考慮して、９０°以上かつ１８０°未満であることが好ましい。
【００３４】
第１０図〜第１６図は異なる意匠材を長手方向と垂直な断面で切断した図面である。
【００３５】
第１０図の意匠材１０Ｂは五角形の断面形状を有している。
【００３６】
第１１図の意匠材１０Ｃは一方の面が外方に凸に湾曲し、他方の面が平面状となっている中空の略三日月形の断面形状を有している。図中、符号１６は該一方の面と他方の面を連結する仕切壁状部である。符号１７は開口を示す。
【００３７】
第１２図の意匠材１０Ｄは平行四辺形の中空の断面形状を有している。この平行四辺形の１対の面同士が仕切壁状部１６，１６によって連結されている。
【００３８】
第１３図の意匠材１０Ｅは、中空の略二等辺三角形の中空断面形状を有している。１対の斜辺同士が仕切壁状部１６，１６によって連結されている。
【００３９】
第１４図の意匠材１０Ｆは、中空の長方形の断面形状を有している。１対の長辺同士が仕切壁状部１６，１６によって連結されている。
【００４０】
第１５図の意匠材１０Ｇも、中空の長方形の断面形状を有している。この意匠材１０Ｇには、１個の仕切壁状部１６が設けられている。
【００４１】
第１６図の意匠材１０Ｈは略六角形の中空断面形状を有している。該意匠材の内面には、破損しても破片が落下しないようにゴムシートを接着してもよい。また、意匠性を向上させるために、一部の面に２条の凹部１９が設けられている。
【００４２】
なお、上記の意匠材の中空部の内面にゴムシートを設けてもよい。特に、中空部の内面のうち壁面に施工した際に底面部となる部分に、長手方向に沿ってゴムシートを設けてもよい。該底面部にゴムシートを設けることにより、雨水等がセラミック部に溜まって凍結し、中空部側面に圧力が生じた場合でも、意匠材が割れることがない。
【図面の簡単な説明】
【００４３】
【図１】実施の形態に係る外壁構造の水平断面図である。
【図２】第１図の意匠材１０の斜視図である。
【図３】第１図の芯材２０の斜視図である。
【図４】第１図の外壁構造の正面図である。
【図５】異なる芯材２０Ｂの斜視図である。
【図６】異なる芯材２０Ｃの斜視図である。
【図７】異なる芯材２０Ｄの斜視図である。
【図８】異なる芯材２０Ｅの斜視図である。
【図９】第８図の芯材２０Ｅを用いて意匠材を建物の外壁に設置した状態を示す水平断面図である。
【図１０】異なる意匠材を長手方向と垂直な断面で切断した断面図である。
【図１１】異なる意匠材を長手方向と垂直な断面で切断した断面図である。
【図１２】異なる意匠材を長手方向と垂直な断面で切断した断面図である。
【図１３】異なる意匠材を長手方向と垂直な断面で切断した断面図である。
【図１４】異なる意匠材を長手方向と垂直な断面で切断した断面図である。
【図１５】異なる意匠材を長手方向と垂直な断面で切断した断面図である。
【図１６】異なる意匠材を長手方向と垂直な断面で切断した断面図である。
【符号の説明】
【００４４】
１  建物
２  第１の壁面
３  第２の壁面
４  角部
５  レール
８  スペーサ
１０、１０Ａ  意匠材
１１  一端部
１２  湾曲部
１３  他端部
２０、２０Ａ  芯材
２１、２１Ａ  長板部
２２、２２Ａ  耳片部
【図１】
2007308934.tif 000003
【図２】
2007308934.tif 000004
【図３】
2007308934.tif 000005
【図４】
2007308934.tif 000006
【図５】
2007308934.tif 000007
【図６】
2007308934.tif 000008
【図７】
2007308934.tif 000009
【図８】
2007308934.tif 000010
【図９】
2007308934.tif 000011
【図１０】
2007308934.tif 000012
【図１１】
2007308934.tif 000013
【図１２】
2007308934.tif 000014
【図１３】
2007308934.tif 000015
【図１４】
2007308934.tif 000016
【図１５】
2007308934.tif 000017
【図１６】
2007308934.tif 000018